(57)【要約】【課題】構造物としての安定性に優れると共に、組み立て及び折り畳みを簡単に行うことができる組み立て構造物を提供すること。【解決手段】組み立て構造物１は、屈曲部１３ｈにより互いに接続される第１パネル１０１及び第２パネル１０２を有し、屈曲部１３ｈにおいて第１パネル１０１と第２パネル１０２とを折り畳み状態及び平板状の展開状態の間で変形可能なメインパネル１０と、展開状態のメインパネル１０の幅方向の側辺１０ｅにそれぞれ配置され、メインパネル１０の側辺１０ｅと対向する位置の一部に開口部２０ａ，２０ｂを有する一対のサイドパネル２０と、展開状態のメインパネル１０の側辺１０ｅにサイドパネル２０が配置された状態で、サイドパネル２０開口部２０ａ，２０ｂから挿入され、第１パネル１０１及び第２パネル１０２と係合してメインパネル１０とサイドパネル２０とを一体的に固定する固定具３０と、を備える。【選択図】図２
2019178600.tif 000002
【特許請求の範囲】
【請求項１】
屈曲部により互いに接続される第１パネル及び第２パネルを有し、前記屈曲部において前記第１パネルと前記第２パネルとを折り畳み状態及び平板状の展開状態の間で変形可能なメインパネルと、
展開状態の前記メインパネルの幅方向の側辺にそれぞれ配置され、前記メインパネルの前記側辺と対向する位置の一部に開口部を有する一対のサイドパネルと、
展開状態の前記メインパネルの前記側辺に前記サイドパネルが配置された状態で、前記サイドパネルの前記開口部から挿入され、前記第１パネル及び前記第２パネルと係合して前記メインパネルと前記サイドパネルとを一体的に固定する固定具と、
を備える組み立て構造物。
【請求項２】
請求項１に記載の組み立て構造物において、
前記メインパネルは、幅方向に複数隣接して設けられ、
各前記メインパネルは、幅方向の前記側辺のうち、前記サイドパネルと接しない前記側辺に、隣接する他の前記メインパネルと接合される接合部を有する、
組み立て構造物。
【請求項３】
請求項２に記載の組み立て構造物において、
互いに隣接する前記メインパネルのうち、一方の前記メインパネルの前記接合部は、前記側辺から窪んだ凹部であり、他方の前記メインパネルの前記接合部は、前記凹部に対応する位置に設けられ、前記側辺から突出した凸部であり、
一方の前記メインパネルの前記凹部に、他方の前記メインパネルの前記凸部を係合させることにより、一方の前記メインパネルと他方の前記メインパネルとが接合される、
組み立て構造物。
【請求項４】
請求項３に記載の組み立て構造物であって、
前記接合部は、前記メインパネルの前記第１パネル及び前記第２パネルのそれぞれに設けられ、
前記第１パネルに設けられた前記接合部の前記凸部と前記第２パネルに設けられた前記接合部の前記凸部とは、前記側辺から突出する長さが相違する、
組み立て構造物。
【請求項５】
請求項１から請求項４までのいずれか一項に記載の組み立て構造物であって、
前記固定具は、前記メインパネルの前記屈曲部、前記第１パネル及び前記第２パネルをまとめて保持する、
組み立て構造物。
【請求項６】
請求項１から請求項４までのいずれか一項に記載の組み立て構造物であって、
前記固定具と、前記サイドパネルの前記開口部とは、複数設けられ、
複数の前記固定具の一部は、前記第１パネルと係合し、
複数の前記固定具のその他は、前記第２パネルと係合する、
組み立て構造物。
【請求項７】
請求項１から請求項４までのいずれか一項に記載の組み立て構造物であって、
前記固定具と、前記サイドパネルの前記開口部とは、複数設けられ、
複数の前記固定具の一部は、前記第１パネルと係合し、
複数の前記固定具の他の一部は、前記第２パネルと係合し、
複数の前記固定具のその他は、前記メインパネルの前記屈曲部、前記第１パネル及び前記第２パネルをまとめて保持する、
組み立て構造物。
【請求項８】
請求項１から請求項７までのいずれか一項に記載の組み立て構造物であって、
前記サイドパネルは、サイドパネル屈曲部により互いに接続される第１サイドパネル及び第２サイドパネルを有し、前記サイドパネル屈曲部において前記第１サイドパネルと前記第２サイドパネルとを折り畳み状態及び平板状の展開状態の間で変形可能に形成されている、
組み立て構造物。
【請求項９】
請求項８に記載の組み立て構造物であって、
前記サイドパネルの前記開口部は、前記サイドパネル屈曲部の位置に設けられる、
組み立て構造物。
【請求項１０】
請求項１から請求項９までのいずれか一項に記載の組み立て構造物であって、
前記固定具は、光透過性を有する材料により形成される、
組み立て構造物。
【発明の詳細な説明】
【技術分野】
【０００１】
本発明は、組み立て構造物に関する。
【背景技術】
【０００２】
従来、催事場等において、空間を仕切るパーテーションが設置されたり、イベント会場、記者会見場等において、簡易的な撮影ブースが設置されたりすることがある。このような用途に適用可能な構造物として、折り畳み可能に連結された衝立、複数枚のパネルを連結したパーテーション等がある（例えば、特許文献１、２参照）。
【先行技術文献】
【特許文献】
【０００３】
【特許文献１】特開２０１４−４６１９３号公報
【特許文献２】特開２０００−３５５９９７号公報
【発明の概要】
【発明が解決しようとする課題】
【０００４】
上記特許文献１に記載された衝立は、３枚の板材を凹形に拡げたときの固定手段を備えていないため、構造物としての安定性が低いという課題がある。また、上記特許文献２に記載されたパーテーションは、連結部材の構造が複雑であるため、組み立て、折り畳みに手間と時間がかかるという課題がある。
【０００５】
本発明は、構造物としての安定性に優れると共に、組み立て及び折り畳みを簡単に行うことができる組み立て構造物を提供することを目的とする。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、屈曲部（１３ｈ）により互いに接続される第１パネル（１０１）及び第２パネル（１０２）を有し、前記屈曲部において前記第１パネルと前記第２パネルとを折り畳み状態及び平板状の展開状態の間で変形可能なメインパネル（１０）と、展開状態の前記メインパネルの幅方向の側辺（１０ｅ）にそれぞれ配置され、前記メインパネルの前記側辺と対向する位置の一部に開口部を有する一対のサイドパネル（２０）と、展開状態の前記メインパネルの前記側辺に前記サイドパネルが配置された状態で、前記サイドパネルの前記開口部から挿入され、前記第１パネル及び前記第２パネルと係合して前記メインパネルと前記サイドパネルとを一体的に固定する固定具（３０）と、を備える組み立て構造物（１）に関する。
【０００８】
第２の発明は、第１の発明に係る組み立て構造物において、前記メインパネル（１０）は、幅方向に複数隣接して設けられ、各前記メインパネルは、幅方向の前記側辺のうち、前記サイドパネル（２０Ａ）と接しない前記側辺に、隣接する他の前記メインパネルと接合される接合部（１１ａ，１１ｂ，１２ａ，１２ｂ）を有する組み立て構造物（２）に関する。
【０００９】
第３の発明は、第２の発明に係る組み立て構造物において、互いに隣接する前記メインパネル（１０）のうち、一方の前記メインパネルの前記接合部は、前記側辺から窪んだ凹部（１１ａ，１２ａ）であり、他方の前記メインパネルの前記接合部は、前記凹部に対応する位置に設けられ、前記側辺から突出した凸部（１１ｂ，１２ｂ）であり、一方の前記メインパネルの前記凹部に、他方の前記メインパネルの前記凸部を係合させることにより、一方の前記メインパネルと他方の前記メインパネルとが接合される組み立て構造物（２）に関する。
【００１０】
第４の発明は、第３の発明に係る組み立て構造物であって、前記接合部は、前記メインパネルの前記第１パネル及び前記第２パネルのそれぞれに設けられ、前記第１パネル（１０１）に設けられた前記接合部の前記凸部（１１ｂ）と前記第２パネル（１０２）に設けられた前記接合部の前記凸部（１２ｂ）とは、前記側辺から突出する長さが相違する組み立て構造物（２）に関する。
【００１１】
第５の発明は、第１から第４までのいずれかの発明に係る組み立て構造物であって、前記固定具（３０Ｂ）は、前記メインパネルの前記屈曲部（１３ｈ）、前記第１パネル（１０１）及び前記第２パネル（１０２）をまとめて保持する組み立て構造物（３）に関する。
【００１２】
第６の発明は、第１から第４までのいずれかの発明に係る組み立て構造物であって、前記固定具（３０）と、前記サイドパネルの前記開口部（２０ａ，２０ｂ）とは、複数設けられ、複数の前記固定具の一部は、前記第１パネル（１０１）と係合し、複数の前記固定具のその他は、前記第２パネル（１０２）と係合する組み立て構造物（１）に関する。
【００１３】
第７の発明は、第１から第４までのいずれかの発明に係る組み立て構造物であって、前記固定具（３０）と、前記サイドパネルの前記開口部（２０ａ，２０ｂ，２０ｃ）とは、複数設けられ、複数の前記固定具の一部は、前記第１パネル（１０１）と係合し、複数の前記固定具の他の一部は、前記第２パネル（１０２）と係合し、複数の前記固定具のその他は、前記メインパネル（１０）の前記屈曲部（１３ｈ）、前記第１パネル及び前記第２パネルをまとめて保持する組み立て構造物（２）に関する。
【００１４】
第８の発明は、第１から第７までのいずれかの発明に係る組み立て構造物であって、前記サイドパネル（２０）は、サイドパネル屈曲部（２３ｈ）により互いに接続される第１サイドパネル（２０１）及び第２サイドパネル（２０２）を有し、前記サイドパネル屈曲部において前記第１サイドパネルと前記第２サイドパネルとを折り畳み状態及び平板状の展開状態の間で変形可能に形成されている組み立て構造物（１）に関する。
【００１５】
第９の発明は、第８の発明に係る組み立て構造物であって、前記サイドパネル（２０Ａ）の前記開口部（２３ｃ）は、前記サイドパネル屈曲部（２３ｈ）の位置に設けられる組み立て構造物（２）に関する。
【００１６】
第１０の発明は、第１から第９までのいずれかの発明に係る組み立て構造物であって、前記固定具（３０）は、光透過性を有する材料により形成される組み立て構造物（１）に関する。
【発明の効果】
【００１７】
本発明によれば、構造物としての安定性に優れると共に、組み立て及び折り畳みを簡単に行うことができる組み立て構造物を提供できる。
【図面の簡単な説明】
【００１８】
【図１】第１実施形態における組み立て構造物１の外観を示す斜視図である。
【図２】第１実施形態における組み立て構造物１の分解斜視図である。
【図３】メインパネル１０の分解斜視図である。
【図４】メインパネル１０の展開状態及び折り畳み状態を示す側面図である。
【図５】サイドパネル２０の分解斜視図である。
【図６】サイドパネル２０の展開状態及び折り畳み状態を示す側面図である。
【図７】固定具３０の構成を示す図である。
【図８】固定具３０の取り付け状態を示す概念図である。
【図９】第１実施形態における組み立て構造物１の設置方法を示す概念図である。
【図１０】第２実施形態における組み立て構造物２の外観を示す斜視図である。
【図１１】第２実施形態における組み立て構造物２の分解斜視図である。
【図１２】メインパネル１０Ａの構成を示す斜視図である。
【図１３】メインパネル１０Ｂの構成を示す斜視図である。
【図１４】メインパネル１０Ｃの構成を示す斜視図である。
【図１５】メインパネル１０Ａ〜１０Ｃに設けられた接合部の配置を示す概念図である。
【図１６】サイドパネル２０Ａの分解斜視図である。
【図１７】第２実施形態における組み立て構造物２の設置方法を示す概念図である。
【図１８】第２実施形態における組み立て構造物２の設置方法を示す概念図である。
【図１９】第３実施形態における組み立て構造物３の外観を示す斜視図である。
【図２０】第３実施形態における組み立て構造物３の分解斜視図である。
【図２１】サイドパネル２０Ｂの分解斜視図である。
【図２２】第３実施形態における組み立て構造物３の設置方法を示す概念図である。
【図２３】変形形態における組み立て構造物４の外観を示す斜視図である。
【発明を実施するための形態】
【００１９】
以下、本発明に係る組み立て構造物の実施形態（第１〜第３実施形態）について説明する。
本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
【００２０】
本明細書等において、形状、幾何学的条件、これらの程度を特定する用語、例えば、「直交」、「方向」等の用語については、その用語の厳密な意味に加えて、ほぼ直交等とみなせる程度の範囲、概ねその方向とみなせる範囲を含む。
図面には、Ｘ、Ｙ、Ｚの互いに直交する座標系を適宜に記載した。この座標系においては、第１実施形態の組み立て構造物１を図１のように配置にしたときの幅方向をＸ（Ｘ１−Ｘ２）方向とする。幅方向は、適宜に横方向、左右方向ともいう。また、組み立て構造物１の高さ方向をＹ（Ｙ１−Ｙ２）方向とする。高さ方向は、適宜に縦方向、上下方向ともいう。更に、組み立て構造物１の奥行き方向をＺ（Ｚ１−Ｚ２）方向とする。
【００２１】
（第１実施形態）
図１は、第１実施形態における組み立て構造物１の外観を示す斜視図である。図２は、第１実施形態における組み立て構造物１の分解斜視図である。
組み立て構造物１は、例えば、催事場等において、空間を仕切るパーテーションとして用いられたり、イベント会場、記者会見場等において、簡易的な撮影ブースとして用いられたりする。組み立て構造物１は、後述するように、固定具を取り外し、各パネルを折り畳み状態とすることにより、コンパクトな大きさで保管、搬送できる。また、組み立て構造物１は、折り畳まれた各部を展開状態として、固定具を取り付けることにより、元の立体的な構造物として設置できる。
【００２２】
＜組み立て構造物１の全体構成＞
図１に示すように、第１実施形態の組み立て構造物１は、メインパネル１０と、一対のサイドパネル２０と、複数（本形態では４個）の固定具３０と、を備える。
メインパネル１０は、組み立て構造物１の主要部となる板状の部材である。以下の説明では、組み立て構造物１を図１のように配置した状態において、手前側（Ｚ１側）を正面又は正面側、奥側（Ｚ２側）を背面又は背面側という。なお、組み立て構造物１の使用形態によっては、手前側が背面側となり、奥側が正面側となってもよい。すなわち、各実施形態における「正面」、「正面側」、「背面」、「背面側」の記載は、便宜上のものであり、適宜に入れ替えてもよい。
【００２３】
例えば、組み立て構造物１を記者会見場の撮影ブースとして使用する場合、メインパネル１０の正面側は、いわゆる訴求面となり、スポンサー企業名（企業ロゴ）等の意匠が印刷される。また、組み立て構造物１をパーテーションとして用いる場合、メインパネル１０は、空間を仕切る壁材となる。その場合、メインパネル１０の両側（正面側及び背面側）は、無地であったり、模様、絵柄等が印刷されたりする。メインパネル１０は、後述するように、折り畳み状態及び平板状の展開状態の間で変形可能に構成される。
【００２４】
サイドパネル２０は、メインパネル１０の幅方向（Ｘ方向）の両側を支持する板状の部材である。一対のサイドパネル２０は、図１に示すように、メインパネル１０の幅方向の両側にそれぞれ配置される。図２に示すように、サイドパネル２０は、メインパネル１０の側辺１０ｅと対向する位置に、開口部２０ａ（後述）を有する。サイドパネル２０は、基本的には無地であるが、模様、絵柄等が印刷されていてもよい。サイドパネル２０は、後述するように、折り畳み状態及び平板状の展開状態の間で変形可能に構成される。
【００２５】
固定具３０は、メインパネル１０とサイドパネル２０とを固定する部材である。固定具３０は、メインパネル１０の側辺１０ｅと対向する位置にサイドパネル２０が配置された状態で、サイドパネル２０の開口部２０ａから挿入されることにより、メインパネル１０と係合して、メインパネル１０とサイドパネル２０とを一体的に固定する。
【００２６】
＜メインパネル１０の構成＞
図３は、メインパネル１０の分解斜視図である。図４は、メインパネル１０の展開状態及び折り畳み状態を示す側面図である。図４（Ａ）は、メインパネル１０の展開状態を示す側面図である。図４（Ｂ）は、メインパネル１０の折り畳み状態を示す側面図である。
【００２７】
図３に示すように、メインパネル１０は、第１芯材１１、第２芯材１２、正面板紙１３、第１背面板紙１４及び第２背面板紙１５を備える。
第１芯材１１及び第２芯材１２は、厚みのある平板状の部材である。第１芯材１１及び第２芯材１２を構成する部材としては、例えば、発泡ポリスチレンシート（ＰＳＰ）等が挙げられる。第１芯材１１及び第２芯材１２の厚みとしては、例えば、５〜７ｍｍが挙げられる。
【００２８】
本実施形態において、第１芯材１１及び第２芯材１２の縦方向（Ｙ方向）の寸法は、正面板紙１３の縦方向の寸法の１／２である。また、本実施形態において、第１芯材１１及び第２芯材１２の横方向（Ｘ方向）の寸法は、正面板紙１３の横方向の寸法と同一である。
例えば、第１芯材１１及び第２芯材１２の縦方向の寸法を１０００ｍｍとすると、メインパネル１０（組み立て構造物１）の高さは、一般的な人の身長を超える２０００ｍｍとなる。そのため、組み立て構造物１を記者会見場の撮影ブースとして使用した場合、組み立て構造物１の正面に人物が位置したときに、その背景のほぼ全面を覆うことができる。また、組み立て構造物１をパーテーションとして使用した場合、組み立て構造物１の正面側から背面側への視界、背面側から正面側への視界をそれぞれ遮るように仕切ることができる。
【００２９】
第１芯材１１及び第２芯材１２の縦横方向の寸法比は、本実施形態のように、縦方向（Ｙ方向）の寸法が横方向（Ｘ方向）の寸法よりも長くなる（縦＞横）ように設定してもよいし、縦方向の寸法が横方向の寸法よりも短くなる（縦＜横）ように設定してもよい。また、縦方向の寸法と横方向の寸法が同一（縦＝横）となるように設定してもよい。更に、後述する第１パネル１０１（第１芯材１１）及び第２パネル１０２（第２芯材１２）において、縦横方向の寸法比が異なっていてもよい。
【００３０】
正面板紙１３は、メインパネル１０の正面側に設けられるシート材である。正面板紙１３の縦方向（Ｙ方向）の寸法は、上述したように、第１芯材１１及び第２芯材１２の縦方向の寸法を合計した長さと等しい。また、正面板紙１３の横方向（Ｘ方向）の寸法は、第１芯材１１及び第２芯材１２の横方向の寸法と等しい。
【００３１】
正面板紙１３の背面（Ｚ２側）は、接着剤を介して第１芯材１１及び第２芯材１２のＺ１側の面に貼り付けられる。正面板紙１３において、屈曲部１３ｈ（後述）よりも上側（Ｙ１側）の領域は、第１芯材１１に貼り付けられる。また、正面板紙１３において、屈曲部１３ｈよりも下側（Ｙ２側）の領域は、第２芯材１２に貼り付けられる。なお、正面板紙１３と各芯材１１，１２との貼り付けは、接着剤に限らず、例えば、面ファスナー等であってもよい。正面板紙１３を構成する部材としては、例えば、コート紙、カード紙等が挙げられる。また、正面板紙１３の厚みとしては、例えば、０．１〜０．３ｍｍが挙げられる。
【００３２】
第１背面板紙１４は、第１芯材１１の背面側（Ｚ２側）に設けられるシート材である。第１背面板紙１４の形状及び大きさは、第１芯材１１と同一である。なお、本明細書において、形状及び大きさが同一であるとは、平面視における形状が相似形であって、且つ、各部の寸法が同一であることをいう。また、平面視とは、芯材、板紙の面方向と直交する方向（垂線方向）から見ることをいう。組み立て構造物１を図１のように配置した状態において、平面視は、Ｘ方向又はＹ方向となる。
【００３３】
第２背面板紙１５は、第２芯材１２の背面側（Ｚ２側）に設けられるシート材である。第２背面板紙１５の形状及び大きさは、第２芯材１２と同一である。
第１背面板紙１４及び第２背面板紙１５を構成する材料、厚さ等は、正面板紙１３と同一であってもよいし、異なっていてもよい。
【００３４】
本実施形態では、メインパネル１０において、正面板紙１３の上側（Ｙ１側）の半分の領域、第１芯材１１及び第１背面板紙１４からなる積層体を、「第１パネル１０１」と呼称する。また、正面板紙１３の下側（Ｙ２側）の半分の領域、第２芯材１２及び第２背面板紙１５からなる積層体を、「第２パネル１０２」と呼称する。
【００３５】
図３に示すように、メインパネル１０の正面側（Ｚ１側）において、第１パネル１０１と第２パネル１０２との間は、正面板紙１３により接続されている。正面板紙１３において、第１パネル１０１と第２パネル１０２との間を接続する部分は、屈曲部１３ｈとして機能する。屈曲部１３ｈは、図３において、破線で示す部分である。本実施形態において、第１芯材１１と第２芯材１２の縦方向（Ｙ方向）の寸法は同一であるため、メインパネル１０の下側（Ｙ２側）の端部から屈曲部１３ｈまでの長さＬ１（図４（Ａ）参照）は、第１芯材１１及び第２芯材１２の縦方向の寸法と同一となる。なお、後述するように、メインパネル１０の下側の端部から屈曲部１３ｈまでの長さＬ１は、サイドパネル２０の下側からサイドパネル屈曲部２３ｈ（後述）までの長さＬ２と同一である。
【００３６】
図４（Ａ）に示すように、メインパネル１０の正面側（Ｚ１側）において、第１パネル１０１のＹ２側の側辺１０１ｅと、第２パネル１０２のＹ１側の側辺１０２ｅとの間は、屈曲部１３ｈにより接続されている。そのため、メインパネル１０は、図４（Ｂ）に示すように、屈曲部１３ｈを中心として、第１パネル１０１を実線の矢印方向（本例では反時計回り）に回動させることにより、２つに折り畳むことができる。以下、メインパネル１０において、図４（Ｂ）に示す状態を「折り畳み状態」ともいう。
【００３７】
一方、メインパネル１０は、図４（Ａ）に示す状態において、屈曲部１３ｈを中心として、第１パネル１０１を破線の矢印方向（本例では時計回り）に回動させることはできない。上述したように、メインパネル１０の正面側（Ｚ１側）において、第１パネル１０１の側辺１０１ｅと、第２パネル１０２の側辺１０２ｅとの間が屈曲部１３ｈにより接続されているためである。このように、メインパネル１０は、屈曲部１３ｈを中心として、一方の側には折り畳むことはできるが、他方の側には折り畳むことができないよう構成されている。以下の説明において、メインパネル１０において、図４（Ａ）に示す状態を「展開状態」ともいう。
【００３８】
＜サイドパネル２０の構成＞
図５は、サイドパネル２０の分解斜視図である。図６は、サイドパネル２０の展開状態及び折り畳み状態を示す側面図である。図６（Ａ）は、サイドパネル２０の展開状態を示す側面図である。図６（Ｂ）は、サイドパネル２０の折り畳み状態を示す側面図である。なお、一対のサイドパネル２０は、構成が同じであるため、ここでは、メインパネル１０のＸ１側に配置されるサイドパネル２０について構成を説明する。なお、サイドパネル２０の説明では、サイドパネル２０を図５のように配置した状態において、Ｘ１側を外側とし、Ｘ２側を内側とする。ちなみに、メインパネル１０のＸ２側（図１参照）に配置されるサイドパネル２０では、Ｘ２側が外側となり、Ｘ２側が内側となる。
【００３９】
図５に示すように、サイドパネル２０は、第１芯材２１、第２芯材２２、外側板紙２３、第１内側板紙２４及び第２内側板紙２５を備える。
第１芯材２１及び第２芯材２２は、厚みのある平板状の部材である。第１芯材２１及び第２芯材２２を構成する材料としては、例えば、発泡ポリスチレンシート（ＰＳＰ）等が挙げられる。第１芯材２１及び第２芯材２２の厚みとしては、例えば、５〜７ｍｍが挙げられる。
【００４０】
本実施形態のサイドパネル２０は、縦方向に細長い台形状に形成されている。第１芯材２１及び第２芯材２２の形状及び大きさは、第１芯材２１及び第２芯材２２を高さ方向（Ｙ方向）に並べて配置したときに、平面視において、外側板紙２３（後述）と同一となるように設定されている。
第１芯材２１は、芯材開口部２１ａを有する。芯材開口部２１ａは、固定具３０（後述）が挿入される矩形状の空間である。また、第２芯材２２は、芯材開口部２２ａを有する。芯材開口部２２ａは、固定具３０が挿入される矩形状の空間である。
【００４１】
外側板紙２３は、サイドパネル２０の正面側（Ｘ１側）に設けられるシート材である。外側板紙２３の背面側（Ｚ２側）は、例えば、接着剤を介して第１芯材２１及び第２芯材２２のＸ１側の面に貼り付けられる。外側板紙２３において、後述するサイドパネル屈曲部２３ｈよりも上側（Ｙ１側）の領域は、第１芯材２１に貼り付けられる。一方、外側板紙２３において、サイドパネル屈曲部２３ｈよりも下側（Ｙ２側）の領域は、第２芯材２２に貼り付けられる。なお、外側板紙２３と各芯材２１，２２との貼り付けは、接着剤に限らず、例えば、面ファスナー等であってもよい。外側板紙２３を構成する材料、厚さ等は、メインパネル１０の正面板紙１３と同一であってもよいし、異なっていてもよい。
【００４２】
外側板紙２３は、上側（Ｙ１側）と下側（Ｙ２側）に、それぞれ板紙開口部２３ａ，２３ｂを有する。板紙開口部２３ａ，２３ｂは、それぞれ固定具３０が挿入される矩形状の開口である。板紙開口部２３ａ，２３ｂの形状及び大きさは、芯材開口部２１ａ，２２ａと同一である。板紙開口部２３ａは、外側板紙２３を第１芯材２１及び第２芯材２２の正面側（Ｘ１側）に貼り付けたときに、第１芯材２１の芯材開口部２１ａと一致する位置に設けられる。また、板紙開口部２３ｂは、第２芯材２２の芯材開口部２２ｂと一致する位置に設けられる。
【００４３】
第１内側板紙２４は、第１芯材２１の背面側（Ｘ２側）に設けられるシート材である。第１内側板紙２４の形状及び大きさは、第１芯材２１と同一である。
第１内側板紙２４は、板紙開口部２４ａを有する。板紙開口部２４ａは、固定具３０が挿入される矩形状の開口である。板紙開口部２４ａの形状及び大きさは、第１芯材２１の芯材開口部２１ａと同一である。板紙開口部２４ａは、第１内側板紙２４を第１芯材２１の背面側（Ｘ２側）に貼り付けたときに、第１芯材２１の芯材開口部２１ａと一致する位置に設けられる。
【００４４】
第２内側板紙２５は、第２芯材２２の背面側（Ｘ２側）に設けられるシート材である。第２内側板紙２５の形状及び大きさは、第２芯材２２と同一である。
第２内側板紙２５は、板紙開口部２５ｂを有する。板紙開口部２５ｂは、固定具３０が挿入される矩形状の開口である。板紙開口部２５ｂの形状及び大きさは、第２芯材２２の芯材開口部２２ａと同一である。板紙開口部２５ｂは、第２内側板紙２５を第２芯材２２の背面側（Ｘ２側）に貼り付けたときに、第２芯材２２の芯材開口部２２ａと一致する位置に設けられる。
【００４５】
本実施形態では、サイドパネル２０において、外側板紙２３の上側（Ｙ１側）の領域（小さな台形の領域）と、第１芯材２１及び第１内側板紙２４とからなる積層体を、「第１サイドパネル２０１」と呼称する。また、外側板紙２３の下側（Ｙ２側）の領域（大きな台形の領域）と、第２芯材２２及び第２内側板紙２５とからなる積層体を、「第２サイドパネル２０２」と呼称する。
【００４６】
第１サイドパネル２０１及び第２サイドパネル２０２は、図２に示すように、それぞれ開口部２０ａ，２０ｂを有する。第１サイドパネル２０１の開口部２０ａは、外側板紙２３の上側（Ｙ１側）の板紙開口部２３ａ、第１芯材２１の芯材開口部２１ａ及び第１内側板紙２４の板紙開口部２４ａにより形成される。第２サイドパネル２０２の開口部２０ｂは、外側板紙２３の下側（Ｙ２側）の板紙開口部２３ａ、第２芯材２２の芯材開口部２２ａ及び第２内側板紙２５の板紙開口部２５ａにより形成される。
【００４７】
図５に示すように、サイドパネル２０の正面側（Ｘ１側）において、第１サイドパネル２０１と第２サイドパネル２０２との間は、外側板紙２３により接続されている。外側板紙２３において、第１サイドパネル２０１と第２サイドパネル２０２との間を接続する部分は、サイドパネル屈曲部２３ｈとして機能する。サイドパネル屈曲部２３ｈは、図５において、破線で示す部分である。
【００４８】
本実施形態において、サイドパネル２０の高さ方向（Ｙ方向）の下側の端部からサイドパネル屈曲部２３ｈまでの長さＬ２（図６（Ａ）参照）は、メインパネル１０の高さ方向（Ｙ方向）の下側の端部から屈曲部１３ｈまでの長さＬ１（図４（Ａ）参照）と同一である。これによれば、メインパネル１０を屈曲部１３ｈの位置で折り畳んだときの高さ方向の寸法と、サイドパネル２０をサイドパネル屈曲部２３ｈの位置で折り畳んだときの高さ方向の寸法とが等しくなるため、折り畳んだ各パネルを重ねて搬送することが容易となる。
【００４９】
図６（Ａ）に示すように、サイドパネル２０の正面側（Ｘ１側）において、第１サイドパネル２０１のＹ２側の側辺２０１ｅと、第２サイドパネル２０２のＹ１側の側辺２０２ｅとの間は、サイドパネル屈曲部２３ｈにより接続されている。そのため、サイドパネル２０は、図６（Ｂ）に示すように、サイドパネル屈曲部２３ｈを中心として、第１サイドパネル２０１を実線の矢印方向（本例では反時計回り）に回動させることにより、２つに折り畳むことができる。以下、サイドパネル２０において、図６（Ｂ）に示す状態を「折り畳み状態」ともいう。
【００５０】
一方、サイドパネル２０は、図６（Ａ）に示す状態において、サイドパネル屈曲部２３ｈを中心として、第１サイドパネル２０１を破線の矢印方向（本例では時計回り）に回動させることはできない。上述したように、サイドパネル２０の正面側（Ｘ１側）において、第１サイドパネル２０１の側辺２０１ｅと、第２サイドパネル２０２の側辺２０２ｅとの間がサイドパネル屈曲部２３ｈにより接続されているからである。このように、サイドパネル２０は、サイドパネル屈曲部２３ｈを中心として、一方の側には折り畳むことはできるが、他方の側には折り畳むことができないよう構成されている。以下、サイドパネル２０において、図６（Ａ）に示す状態を「展開状態」ともいう。
【００５１】
＜固定具３０の構成＞
図７は、固定具３０の構成を示す図である。図７（Ａ）は、固定具３０の斜視図である。図７（Ｂ）は、固定具３０をＹ方向から見たときの側面図である。なお、固定具３０の説明では、固定具３０を図７のように配置した状態において、横方向をＸ（Ｘ１−Ｘ２）方向、縦方向をＹ（Ｙ１−Ｙ２）方向、奥行き方向をＺ（Ｚ１−Ｚ２）方向とする。
【００５２】
図７（Ａ）に示すように、固定具３０は、支持プレート３１と、係合部３２と、を備える。
支持プレート３１は、固定具３０のベースとなる部材である。支持プレート３１の横方向（Ｘ方向）の寸法Ｗ１は、係合部３２の横方向の寸法Ｗ２以上であればよい。固定具３０をサイドパネル２０の開口部２０ａ（２０ｂ）に挿入した場合に、固定具３０全体が開口部２０ａ（２０ｂ）の内部に埋まってしまうことを防ぐためである。また、支持プレート３１の縦方向（Ｙ方向）の寸法ｈ１は、開口部２０ａ（２０ｂ）の縦方向の寸法ｈ３以上であればよい。固定具３０をサイドパネル２０の開口部２０ａ（２０ｂ）に挿入した場合に、係合部３２及び開口部２０ａ（２０ｂ）の一部がサイドパネル２０の側面から露出することを防ぐためである。なお、図７（Ａ）では、サイドパネル２０に設けられる開口部２０ａ（２０ｂ）の輪郭を想像線（二点鎖線）で示している。
【００５３】
係合部３２は、メインパネル１０と係合する部分である。係合部３２は、図７（Ｂ）に示すように、縦方向（Ｙ方向）から見たときに、略Ｕ字形となるように形成されている。また、係合部３２は、図７（Ａ）に示すように、縦方向（Ｙ方向）に沿って延在している。係合部３２の縦方向（Ｙ方向）の寸法ｈ２は、開口部２０ａ（２０ｂ）の縦方向の寸法ｈ３と同一か、わずかに短い寸法とすることが望ましい。固定具３０をサイドパネル２０の開口部２０ａ（２０ｂ）に挿入して、メインパネル１０と係合させたときに、係合部３２が開口部２０ａ（２０ｂ）の内部において、縦方向（Ｙ方向）にぐらつくことを抑制するためである。
【００５４】
係合部３２は、図７（Ａ）、（Ｂ）に示すように、基部３２ａと、クランプ部３２ｂと、を備える。
基部３２ａは、支持プレート３１と接合される部分である。支持プレート３１及び係合部３２を樹脂材料により形成した場合、支持プレート３１と係合部３２（基部３２ａ）とは、例えば、溶着、接着等により接合される。基部３２ａの横方向（Ｘ方向）の寸法Ｗ２は、開口部２０ａ（２０ｂ）の横方向の寸法Ｗ３と同一か、わずかに短い寸法とすることが望ましい。固定具３０をサイドパネル２０の開口部２０ａ（２０ｂ）に挿入して、メインパネル１０と係合させたときに、係合部３２が開口部２０ａ（２０ｂ）の内部において、横方向（Ｘ方向）にぐらつくことを抑制するためである。なお、支持プレート３１と係合部３２は、一体に形成されていてもよい。
【００５５】
クランプ部３２ｂは、メインパネル１０と係合する部分である。図７（Ｂ）に示すように、クランプ部３２ｂは、基部３２ａからＺ２側に延びる一対のクランプ片３２１ｂを有する。一対のクランプ片３２１ｂは、基部３２ａの近傍では離れていて、先端側（Ｚ２側）に向かうにつれて徐々に接近（又は接触）するように形成されている。これによれば、一対のクランプ片３２１ｂ（クランプ部３２ｂ）の間にメインパネル１０が挿入されると、一対のクランプ片３２１ｂが互いに元の位置（形状）に戻ろうとする復元力が発生し、これが図中の矢印方向に付勢力として作用する。また、一対のクランプ片３２１ｂの先端は、略Ｖ字形となるように互いに離れている。メインパネル１０を、一対のクランプ片３２１ｂの間に挿入しやすくするためである。
【００５６】
支持プレート３１及び係合部３２は、例えば、ＰＥＴ（ポリエチレンテレフタレート）、アクリル樹脂、ＰＶＣ（塩化ビニル樹脂）等の光透過性を有する樹脂材料により形成される。支持プレート３１及び係合部３２は、特に、透明な部材で形成することが望ましい。固定具３０を透明な部材で形成することにより、メインパネル１０の訴求面に印刷される意匠（スポンサー企業名等）が、係合部３２により覆われて視認できなくなることを抑制できる。また、サイドパネル２０の外側の面に露出する支持プレート３１を目立ちにくくできる。
【００５７】
なお、メインパネル１０の訴求面が無地である場合等において、固定具３０は、透明な部材で形成されていなくてもよいし、訴求面と同じ色で着色されていてもよい。その場合、支持プレート３１及び係合部３２は、例えば、アルミニウム、鉄等の金属材料により形成されてもよい。また、上述した樹脂材料と金属材料を組み合わせた構成としてもよい。具体的には、支持プレート３１を金属材料で形成し、係合部３２を樹脂材料で形成する例が挙げられる。
【００５８】
次に、固定具３０の取り付けについて説明する。
図８は、固定具３０の取り付け状態を示す概念図である。図８（Ａ）は、固定具３０をサイドパネル２０に挿入する前の状態を示す概念図である。図８（Ｂ）は、固定具３０をサイドパネル２０に挿入した後の状態を示す概念図である。以下、固定具３０をサイドパネル２０の上側（Ｙ１側）の開口部２０ａへ挿入する場合を例として説明する。固定具３０を、サイドパネル２０の下側（Ｙ２側）の開口部２０ｂへ挿入した場合も同様に作用する。
【００５９】
図８（Ａ）に示すように、固定具３０は、メインパネル１０の側辺１０ｅとサイドパネル２０の開口部２０ａとが接するように配置された状態で、サイドパネル２０の開口部２０ａから挿入される。固定具３０がサイドパネル２０の開口部２０ａから挿入されると、固定具３０の一対のクランプ片３２１ｂ（クランプ部３２ｂ）の先端が、第１パネル１０１（メインパネル１０）の側辺１０ｅに当接して、互い離れる方向（図中の左右方向）に押し広げられる。固定具３０が更にサイドパネル２０側に押し込まれると、一対のクランプ片３２１ｂは、メインパネル１０とサイドパネル２０の開口部２０ａとの隙間Ｓから突出する。
【００６０】
そして、図８（Ｂ）に示すように、固定具３０の支持プレート３１がサイドパネル２０の正面側（Ｘ１側）と接する位置まで挿入されると、一対のクランプ片３２１ｂは、更に押し広げられ、第１パネル１０１（メインパネル１０）と係合する。これにより、第１パネル１０１は、一対のクランプ片３２１ｂ（固定具３０）の付勢力により保持される。また、固定具３０は、サイドパネル２０を間に挟んでメインパネル１０と係合するため。メインパネル１０及びサイドパネル２０は、固定具３０により一体的に固定される。
【００６１】
一方、固定具３０の支持プレート３１がサイドパネル２０の正面側と接する位置まで挿入されると、図８（Ｂ）に示すように、係合部３２（固定具３０）の基部３２ａは、サイドパネル２０の開口部２０ａの中に嵌め込まれ、横方向及び縦方向（図７に示すＸ方向及びＹ方向）への移動が規制される。メインパネル１０の開口部２０ａ及び２０ｂにそれぞれ固定具３０を挿入すると、メインパネル１０は、図２に示すように、屈曲部１３ｈを間に挟んで上下の２箇所で固定具３０により固定される。これにより、図４（Ｂ）に示すように、展開状態のメインパネル１０が折り畳み状態へ変形することを抑制できる。
なお、固定具３０は、メインパネル１０に対し着脱自在に係合される。そのため、固定具３０をサイドパネル２０の開口部２０ａから引き抜けば、メインパネル１０とサイドパネル２０との係合が解除され、メインパネル１０とサイドパネル２０とを分解できる。
【００６２】
＜組み立て構造物１の設置方法＞
次に、第１実施形態における組み立て構造物１の設置方法について説明する。
図９は、第１実施形態における組み立て構造物１の設置方法を示す概念図である。
なお、以下に説明する組み立て構造物１の設置は、２名以上の作業者で行うことが望ましい（他の実施形態についても同様）。
【００６３】
まず、図９（Ａ）に示すように、折り畳み状態のメインパネル１０及びサイドパネル２０を矢印方向に開いて展開状態とする。図９（Ａ）では、サイドパネル２０を１つだけ示しているが、サイドパネル２０は２つ用いられる。
次に、図９（Ｂ）に示すように、メインパネル１０の左側（Ｘ１側）の側辺１０ｅと、一方のサイドパネル２０の開口部２０ａ及び２０ｂとが接するように配置する。なお、図９（Ｂ）では、メインパネル１０と一方のサイドパネル２０とを配置する際の位置関係を示しており、図中において両者は離れている。
【００６４】
サイドパネル２０は、基本的には内側（Ｘ２側）の面がメインパネル１０と接するように配置されるが、外側（Ｘ１側）の面がメインパネル１０と接するように配置してもよい（他の実施形態についても同様）。続いて、２つの固定具３０を一方のサイドパネル２０の開口部２０ａ及び２０ｂにそれぞれ挿入する。これにより、メインパネル１０の左側の側辺１０ｅと、一方のサイドパネル２０とが一体的に固定される。
【００６５】
次に、図９（Ｃ）に示すように、メインパネル１０の右側（Ｘ２側）の側辺１０ｅと、他方のサイドパネル２０の開口部２０ａ及び２０ｂとが接するように配置する。なお、図９（Ｃ）では、メインパネル１０と他方のサイドパネル２０とを配置する際の位置関係を示しており、図中において両者は離れている。続いて、固定具３０を他方のサイドパネル２０の開口部２０ａ及び２０ｂにそれぞれ挿入する。これにより、メインパネル１０の右側の側辺１０ｅと他方のサイドパネル２０とが一体的に固定される。
以上の手順で組み立てを行うことにより、第１実施形態の組み立て構造物１を設置できる（図１参照）。なお、メインパネル１０に対するサイドパネル２０の取り付けは、メインパネル１０の右側（Ｘ２側）から左側（Ｘ１側）の順に行ってもよい。
【００６６】
上述した第１実施形態の組み立て構造物１によれば、メインパネル１０と一対のサイドパネル２０とを固定具３０により一体的に固定できると共に、設置後にメインパネル１０が展開状態から折り畳み状態へ変形することを抑制できる。そのため、第１実施形態の組み立て構造物１は、構造物としての安定性に優れている。また、第１実施形態の組み立て構造物１において、メインパネル１０及びサイドパネル２０の展開／折り畳みの作業及び固定具３０の取り付け／取り外しの作業にはいずれも工具が不要であり、単純な軽作業であるため、組み立て、折り畳みを短時間で行うことができる。
【００６７】
（第２実施形態）
第２実施形態の組み立て構造物２は、複数のメインパネル１０Ａ〜１０Ｃを備えること及び固定具３０をサイドパネル２０Ａの３箇所に取り付けることが第１実施形態と相違する。第２実施形態の組み立て構造物２において、その他の構成は、第１実施形態と同じである。そのため、第２実施形態の説明及び図面において、第１実施形態と同等の部材等には、第１実施形態と同一の符号又は末尾にＡ等の符号を付して、重複する説明を省略する。
【００６８】
図１０は、第２実施形態における組み立て構造物２の外観を示す斜視図である。図１１は、組み立て構造物２の分解斜視図である。図１２は、メインパネル１０Ａの構成を示す斜視図である。図１３は、メインパネル１０Ｂの構成を示す斜視図である。図１４は、メインパネル１０Ｃの構成を示す斜視図である。図１５は、メインパネル１０Ａ〜１０Ｃに設けられた接合部の配置を示す概念図である。図１５（Ａ）は、メインパネル１０Ａ〜１０Ｃを接合する前の状態を示す概念図である。図１５（Ｂ）は、メインパネル１０Ａ〜１０Ｃを接合した後の状態を示す概念図である。
【００６９】
＜組み立て構造物２の全体構成＞
図１０に示すように、第２実施形態の組み立て構造物２は、メインパネル１０Ａ〜１０Ｃと、一対のサイドパネル２０Ａと、複数（本形態では６個）の固定具３０と、を備える。第２実施形態で使用される固定具３０の構成は、第１実施形態と同じであるため、説明を省略する。
【００７０】
第２実施形態の組み立て構造物２は、図１１に示すように、それぞれ構成の異なるメインパネル１０Ａ，１０Ｂ及び１０Ｃ（以下、総称して「メインパネル１０」ともいう）を備える。メインパネル１０Ａは、組み立て構造物２の左側（Ｘ１側）の端に配置されるパネルである。メインパネル１０Ｂは、組み立て構造物２の右側（Ｘ２側）の端に配置されるパネルである。メインパネル１０Ｃは、組み立て構造物２において、メインパネル１０Ａと１０Ｂとの間に配置されるパネルである。第２実施形態のメインパネル１０は、後述する接合部を備える点が第１実施形態のメインパネル１０と相違する。以下、メインパネル１０Ａ，１０Ｂ，１０Ｃの順に説明する。
【００７１】
＜メインパネル１０Ａの構成＞
図１２に示すように、メインパネル１０Ａは、第１芯材１１、第２芯材１２、正面板紙１３、第１背面板紙１４及び第２背面板紙１５を備える。第２実施形態のメインパネル１０Ａにおいて、第１芯材１１及び第２芯材１２を除いた各部の構成は、第１実施形態と同じであるため、説明を省略する。
【００７２】
メインパネル１０Ａは、サイドパネル２０Ａと接しない側（Ｘ２側）の側辺１０ｅに、隣接するメインパネル１０Ｃ（不図示）との接合部として、凹部１１ａ及び１２ａを有する。凹部１１ａは、第１芯材１１において、Ｘ２側の側辺１０ｅに設けられた矩形状の窪みである。凹部１２ａは、第２芯材１２において、Ｘ２側の側辺１０ｅに設けられた矩形状の窪みである。凹部１１ａ，１２ａには、図１５（Ｂ）に示すように、隣接するメインパネル１０Ｃの凸部１１ｂ，１２ｂ（後述）がそれぞれ嵌め込まれる。なお、凹部１１ａ及び１２ａは、図１２に示すように、第１芯材１１及び第２芯材１２のみに設けられ、板紙には設けられていない。そのため、各部を貼り合わせてメインパネル１０Ａとしたときに、凹部１１ａ及び１２ａは、袋状の空間となる。
【００７３】
図１５（Ａ）に示すように、メインパネル１０Ａにおける凹部１１ａ及び１２ａの窪み長さＬ１は、メインパネル１０Ｃの凸部１１ｂ，１２ｂ（後述）が突出する長さＬ２、Ｌ３に応じて設定される。本実施形態において、凹部１１ａ及び１２ａの窪み長さＬ１は、凸部１１ｂが突出する長さＬ２と等しい。なお、凹部１１ａ及び１２ａの窪み長さＬ１は、凸部１１ｂ及び１２ｂが突出する長さＬ２、Ｌ３に応じて変更してもよい。
【００７４】
＜メインパネル１０Ｂの構成＞
図１３に示すように、メインパネル１０Ｂは、第１芯材１１、第２芯材１２、正面板紙１３、第１背面板紙１４及び第２背面板紙１５を備える。メインパネル１０Ｂにおいて、第１芯材１１及び第２芯材１２を除いた各部の構成は、第１実施形態と同じであるため、説明を省略する。
【００７５】
メインパネル１０Ｂは、サイドパネル２０Ａと接しない側（Ｘ１側）の側辺１０ｅに、隣接するメインパネル１０Ｃ（不図示）との接合部として、凸部１１ｂ及び１２ｂを有する。凸部１１ｂは、第１芯材１１において、Ｘ１側の側辺１０ｅに設けられた略矩形状の突起である。凸部１２ｂは、第２芯材１２において、Ｘ１側の側辺１０ｅに設けられた略矩形状の突起である。凸部１１ｂ，１２ｂの先端は、三角形に形成されている。凸部１１ｂ，１２ｂは、メインパネル１０Ｃ（後述）の凹部１１ａ，１２ａにそれぞれ嵌め込まれる。
【００７６】
メインパネル１０Ｂの凸部１１ｂ及び１２ｂは、図１５（Ａ）に示すように、高さ方向（Ｙ方向）において、メインパネル１０Ｃ（１０Ａ）の凹部１１ａ及び１２ａと同じ位置に設けられている。また、メインパネル１０Ｂにおいて、第２パネル１０２の凸部１２ｂが側辺１０ｅから突出する長さＬ３は、第１パネル１０１の凸部１１ｂが側辺１０ｅから突出する長さＬ２よりも短く設定されている。後述するメインパネル１０Ｃの凸部１１ｂ，１２ｂについても同じである。
【００７７】
第１パネル１０１の凸部１１ｂの長さＬ２と、第２パネル１０２の凸部１２ｂの長さＬ３とを等しくすると、メインパネル１０Ｂをメインパネル１０Ｃに接合する際に、各パネルの上下方向（Ｙ方向）において、それぞれの凸部と凹部とを同時に接合しなければならないため、作業が難しくなる。
【００７８】
しかし、本実施形態のメインパネル１０のように、凸部１２ｂの長さＬ３を凸部１１ｂの長さＬ２よりも短くすると、各パネルの上下方向において、それぞれの凸部と凹部を別々に嵌め込むことができる。すなわち、メインパネル１０Ｂをメインパネル１０Ｃに接合する場合、作業者は、最初にメインパネル１０Ｂの上側（Ｙ１側）の凸部１１ｂとメインパネル１０Ｃの上側（Ｙ１側）の凹部１１ａとを嵌め込み、次にメインパネル１０Ｂの下側（Ｙ２側）の凸部１２ｂとメインパネル１０Ｃの下側（Ｙ２側）の凹部１２ａとを嵌め込めばよい。後述するメインパネル１０Ｃをメインパネル１０Ａに接合する場合も同じである。
【００７９】
メインパネル１０Ｂの上側の凸部１１ｂと、メインパネル１０Ｃの上側の凹部１１ａとを嵌め込む際、メインパネル１０Ｂの下側の凸部１２ｂと、メインパネル１０Ｃの下側の凹部１２ａとは離れているため、作業者は、下側の凸部１２ｂと凹部１２ａとの位置ずれを考慮する必要がない。そのため、作業者は、メインパネル１０Ｂの上側の凸部１１ｂと、メインパネル１０Ｃの上側の凹部１１ａとを容易に嵌め込むことができる。
【００８０】
次に、作業は、メインパネル１０Ｂの下側の凸部１２ｂと、メインパネル１０Ｃの下側の凹部１２ａとを嵌め込む。このとき、メインパネル１０Ｂの上側の凸部１１ｂと、メインパネル１０Ｃの下側の凹部１１ａとは、すでに嵌め込まれているため、作業者は、上側の凸部１１ｂと凹部１１ａとの位置ずれを考慮する必要がない。そのため、作業者は、メインパネル１０Ｂの下側の凸部１２ｂと、メインパネル１０Ｃの下側の凹部１２ａとを容易に嵌め込むことができる。このように、作業者は、先にメインパネル１０Ｂの上側の凸部１１ｂとメインパネル１０Ｃの上側の凹部１１ａとを嵌め込み、続いてメインパネル１０Ｂの下側の凸部１２ｂとメインパネル１０Ｃの下側の凹部１２ａとを嵌め込むことにより、両パネルを容易に接合できる。
【００８１】
＜メインパネル１０Ｃの構成＞
図１４に示すように、メインパネル１０Ｃは、第１芯材１１、第２芯材１２、正面板紙１３、第１背面板紙１４及び第２背面板紙１５を備える。メインパネル１０Ｃにおいて、第１芯材１１及び第２芯材１２を除いた各部の構成は、第１実施形態と同じであるため、説明を省略する。
【００８２】
メインパネル１０Ｃは、幅方向の左側（Ｘ１側）の側辺１０ｅに、隣接するメインパネル１０Ａ（不図示）との接合部として、凸部１１ｂ及び１２ｂを有する。凸部１１ｂは、第１芯材１１において、Ｘ１側の側辺１０ｅに設けられた略矩形状の突起である。凸部１２ｂは、メインパネル１０Ｃの第２芯材１２において、Ｘ１側の側辺１０ｅに設けられた略矩形状の突起である。凸部１１ｂ，１２ｂの先端は、三角形に形成されている。凸部１１ｂ，１２ｂは、メインパネル１０Ａの凹部１１ａ，１２ａにそれぞれ嵌め込まれる。メインパネル１０Ｃにおける凸部１１ｂ及び１２ｂの形状、位置等は、メインパネル１０Ｂの凸部１１ｂ及び１２ｂ（図１３参照）と同じであるため、説明を省略する。
【００８３】
一方、メインパネル１０Ｃは、幅方向の右側（Ｘ２側）の側辺１０ｅに、隣接するメインパネル１０Ｂ（不図示）との接合部として、凹部１１ａ及び１２ａを有する。凹部１１ａは、第１芯材１１において、Ｘ２側の側辺１０ｅに設けられた矩形状の窪みである。凹部１２ａは、第２芯材１２において、Ｘ２側の側辺１０ｅに設けられた矩形状の窪みである。凹部１１ａ，１２ａには、メインパネル１０Ｂの凸部１１ｂ，１２ｂがそれぞれ嵌め込まれる。メインパネル１０Ｃにおける凹部１１ａ及び１２ａの形状、位置等は、メインパネル１０Ａの凹部１１ａ及び１２ａ（図１２参照）と同じであるため、説明を省略する。
【００８４】
＜サイドパネル２０Ａの構成＞
次に、サイドパネル２０Ａについて説明する。図１６は、サイドパネル２０Ａの分解斜視図である。
第２実施形態のサイドパネル２０Ａは、高さ方向（Ｙ方向）に３つの開口部２０ａ〜２０ｃ（図１１参照）を有する点が第１実施形態のサイドパネル２０と相違する。一対のサイドパネル２０Ａは、同じ構成であるため、ここでは、メインパネル１０のＸ１側に配置されるサイドパネル２０Ａを例として構成を説明する。
【００８５】
なお、サイドパネル２０Ａの説明では、図５（サイドパネル２０）と同様に、サイドパネル２０Ａの図１６のように配置した状態で、Ｘ１側を外側とし、Ｘ２側を内側とする。ちなみに、メインパネル１０のＸ２側（図１０参照）に配置されるサイドパネル２０Ａでは、Ｘ２側が外側となり、Ｘ２側が内側となる。
【００８６】
図１６に示すように、サイドパネル２０Ａは、第１芯材２１、第２芯材２２、外側板紙２３、第１内側板紙２４及び第２内側板紙２５を有する。サイドパネル２０Ａを構成する各部の基本的な形状、大きさ、材料等は、第１実施形態と同じであるため、説明を省略する。
【００８７】
第１芯材２１は、芯材開口部２１ａ及び第１芯材凹部２２１ｃを有する。第１芯材凹部２２１ｃは、サイドパネル２０Ａを展開状態とした場合に、第２芯材２２の第２芯材凹部２２２ｃ（後述）と共に芯材開口部２２ｃを形成する矩形状の窪みである。芯材開口部２２ｃ（図１１参照）の形状及び大きさは、芯材開口部２２ａ，２２ｂと同一である。芯材開口部２２ｃは、サイドパネル２０Ａを折り畳み状態とした場合に、第１芯材凹部２２１ｃと第２芯材凹部２２２ｃとに分割される。
第２芯材２２は、芯材開口部２２ｂ及び第２芯材凹部２２２ｃを有する。第２芯材凹部２２２ｃは、サイドパネル２０Ａを展開状態とした場合に、上述した第１芯材２１の第１芯材凹部２２１ｃと共に芯材開口部２２ｃを形成する矩形状の窪みである。
【００８８】
外側板紙２３は、サイドパネル２０Ａの正面側（Ｘ１側）に設けられるシート材である。外側板紙２３は、上側（Ｙ１側）、下側（Ｙ２側）及びその中間に、それぞれ板紙開口部２３ａ，２３ｂ及び２３ｃを有する。板紙開口部２３ａ，２３ｂ，２３ｃをＸ方向から見たときの形状及び大きさは、芯材開口部２１ａ，２２ｂ，２２ｃと同一である。
【００８９】
板紙開口部２３ａ，２３ｂ，２３ｃは、第１芯材２１及び第２芯材２２を高さ方向（Ｙ方向）に並べて配置し、その正面側（Ｘ１側）に外側板紙２３を貼り付けたときに、それぞれ芯材開口部２１ａ，２２ｂ，２２ｃ（第１芯材凹部２２１ｃ＋第２芯材凹部２２２ｃ）と一致する位置に設けられる。板紙開口部２３ｃの高さ方向（Ｙ方向）における中心位置は、サイドパネル屈曲部２３ｈの位置と一致している。そのため、第２実施形態のサイドパネル２０Ａは、サイドパネル屈曲部２３ｈを中心として、第１サイドパネル２０１を外側（Ｘ１側）に回動させることにより、開口部２０ｃの位置で２つに折り畳むことができる。
【００９０】
第１内側板紙２４は、第１芯材２１の背面側（Ｘ２側）に設けられるシート材である。第１内側板紙２４は、板紙開口部２４ａ及び第１板紙凹部２４１ｃを有する。第１板紙凹部２４１ｃは、サイドパネル２０Ａを展開状態とした場合に、第２内側板紙２５の第２板紙凹部２４２ｃ（後述）と共に板紙開口部２４ｃを形成する矩形状の切り欠きである。板紙開口部２４ｃをＸ方向から見たときの形状及び大きさは、外側板紙２３の板紙開口部２３ｃと同一である。
【００９１】
第２内側板紙２５は、第２芯材２２の背面側（Ｘ２側）に設けられるシート材である。第２内側板紙２５は、板紙開口部２５ｂ及び第２板紙凹部２４２ｃを有する。第２板紙凹部２４２ｃは、サイドパネル２０Ａを展開状態とした場合に、上述した第１内側板紙２４の第１板紙凹部２４１ｃと共に板紙開口部２４ｃを形成する矩形状の切り欠きである。
第２実施形態のサイドパネル２０Ａは、高さ方向（Ｙ方向）に並べて配置した第１芯材２１及び第２芯材２２の外側（Ｘ１側）に外側板紙２３を貼り付け、内側（Ｘ２側）に第１内側板紙２４及び第２内側板紙２５を貼り付けることにより形成される。
【００９２】
＜組み立て構造物２の設置方法＞
次に、第２実施形態における組み立て構造物２の設置方法について説明する。
図１７及び図１８は、第２実施形態における組み立て構造物２の設置方法を示す概念図である。
【００９３】
まず、図１７（Ａ）に示すように、折り畳み状態のメインパネル１０（１０Ａ〜１０Ｃ）及びサイドパネル２０Ａを矢印方向に開いて展開状態とする。なお、図１７（Ａ）では、メインパネル１０Ａのみを示しているが、メインパネル１０Ｂ，１０Ｃも同様に展開状態とする。また、図１７（Ａ）では、サイドパネル２０Ａを１つだけ示しているが、サイドパネル２０Ａは２つ用いられる。
【００９４】
次に、図１７（Ｂ）に示すように、メインパネル１０Ａの左側（Ｘ１側）の側辺１０ｅと、一方のサイドパネル２０Ａの開口部２０ａ，２０ｂ及び２０ｃとが接するように配置する。なお、図１７（Ｂ）では、メインパネル１０Ａと、一方のサイドパネル２０Ａとを配置する際の位置関係を示しており、図中において両者は離れている。
【００９５】
続いて、３つの固定具３０を一方のサイドパネル２０Ａの開口部２０ａ，２０ｂ及び２０ｃにそれぞれ挿入する。これにより、メインパネル１０Ａの左側の側辺１０ｅと、一方のサイドパネル２０Ａとが一体的に固定される。なお、一方のサイドパネル２０Ａにおいて、開口部２０ｃに挿入される固定具３０は、メインパネル１０Ａの屈曲部１３ｈ、第１パネル１０１及び第２パネル１０２の左側（Ｘ１側）をまとめて保持する。
【００９６】
次に、図１８（Ｃ）に示すように、メインパネル１０Ａの凹部１１ａ，１２ａに、メインパネル１０Ｃの凸部１１ｂ，１２ｂを嵌め込み、メインパネル１０Ａと１０ｂとを接合する。
続いて、メインパネル１０Ｃの凹部１１ａ，１２ａに、メインパネル１０Ｂの凸部１１ｂ，１２ｂを嵌め込み、メインパネル１０Ｃと１０Ｂとを接合する。
【００９７】
次に、図１８（Ｄ）に示すように、メインパネル１０Ｂの右側（Ｘ２側）の側辺１０ｅと、他方のサイドパネル２０Ａの開口部２０ａ，２０ｂ及び２０ｃとが接するように配置する。なお、図１８（Ｄ）では、メインパネル１０Ｂと、他方のサイドパネル２０Ａとを配置する際の位置関係を示しており、図中において両者は離れている。
【００９８】
続いて、３つの固定具３０を他方のサイドパネル２０Ａの開口部２０ａ，２０ｂ及び２０ｃにそれぞれ挿入する。これにより、メインパネル１０Ｂの右側の側辺１０ｅと、他方のサイドパネル２０とが一体的に固定される。なお、他方のサイドパネル２０Ａにおいて、開口部２０ｃに挿入される固定具３０は、メインパネル１０Ｂの屈曲部１３ｈ、第１パネル１０１及び第２パネル１０２の右側（Ｘ２側）をまとめて保持する。
以上の手順で組み立てを行うことにより、第２実施形態の組み立て構造物２を設置できる（図１０参照）。なお、メインパネル１０Ａ〜１０Ｃ及び一対のサイドパネル２０Ａを組み立てる順番は、上記とは逆であってもよい。
【００９９】
上述した第２実施形態の組み立て構造物２は、第１実施形態と同様に、構造物としての安定性に優れると共に、組み立て及び折り畳みを簡単に行うことができる。
第２実施形態の組み立て構造物２において、メインパネル１０Ｂ，１０Ｃの凸部１２ｂが側辺１０ｅから突出する長さＬ３は、凸部１１ｂが側辺１０ｅから突出する長さＬ２よりも短く設定されている。そのため、作業者は、組み立て構造物２において、メインパネル１０を接合する作業を効率良く行うことができる。
【０１００】
第２実施形態の組み立て構造物２は、中間に配置されるメインパネル１０Ｃの数を増やすことで、より幅の広い構造物とすることができる。また、メインパネル１０Ｃを除いて、メインパネル１０Ａ及び１０Ｂのみとすることにより、２枚のメインパネルからなる組み立て構造物２とすることができる。このように、本発明に係る組み立て構造物は、１枚又は２枚のメインパネルを備えた構成にもできるし、３枚又は４枚以上のメインパネルを備えた構成にもできる。
【０１０１】
（第３実施形態）
第３実施形態の組み立て構造物３は、固定具３０の形状が第１実施形態と相違する。第３実施形態の組み立て構造物３において、その他の構成は、第１実施形態と同じである。そのため、第３実施形態の説明及び図面において、第１実施形態と同等の部材等には、第１実施形態と同一の符号又は末尾にＡ等の符号を付して、重複する説明を省略する。
【０１０２】
＜組み立て構造物３の全体構成＞
図１９は、第３実施形態における組み立て構造物３の外観を示す斜視図である。図２０は、第３実施形態における組み立て構造物３の分解斜視図である。
図１９及び図２０に示すように、第３実施形態の組み立て構造物３は、メインパネル１０と、一対のサイドパネル２０Ｂと、２つの固定具３０と、を備える。
【０１０３】
第３実施形態で使用されるメインパネル１０の構成は、第１実施形態と同じであるため、説明を省略する。また、第３実施形態の固定具３０は、第１及び第２実施形態の固定具３０よりも、縦方向（Ｙ方向）の寸法が長い以外は同じ構成であるため、説明を省略する。具体的には、第１及び第２実施形態の固定具３０の縦方向の寸法を１００ｍｍとした場合に、第３実施形態の固定具３０の縦方向の寸法を２００ｍｍとすることが例示できる。
【０１０４】
＜サイドパネル２０Ｂの構成＞
図２１は、サイドパネル２０Ｂの分解斜視図である。
第３実施形態のサイドパネル２０Ｂは、高さ方向（Ｙ方向）に１つの開口部２０ｃ（図２０参照）を有する点が第１実施形態のサイドパネル２０と相違する。一対のサイドパネル２０Ｂは、同じ構成であるため、ここでは、メインパネル１０のＸ１側に配置されるサイドパネル２０Ｂを例として構成を説明する。
【０１０５】
なお、サイドパネル２０Ｂの説明では、図５（サイドパネル２０）と同様に、サイドパネル２０Ｂの図２１のように配置した状態において、Ｘ１側を外側とし、Ｘ２側を内側とする。ちなみに、メインパネル１０のＸ２側（図１９参照）に配置されるサイドパネル２０Ｂでは、Ｘ２側が外側となり、Ｘ２側が内側となる。
【０１０６】
図２１に示すように、サイドパネル２０Ｂは、第１芯材２１、第２芯材２２、外側板紙２３、第１内側板紙２４及び第２内側板紙２５を有する。サイドパネル２０Ｂを構成する各部の基本的な形状、大きさ、材料等は、第１実施形態と同じであるため、説明を省略する。
【０１０７】
第１芯材２１は、第１芯材凹部２２１ｃを有する。第１芯材凹部２２１ｃは、サイドパネル２０Ｂを展開状態とした場合に、第２芯材２２の第２芯材凹部２２２ｃ（後述）と共に芯材開口部２２ｃを形成する矩形状の窪みである。芯材開口部２２ｃは、サイドパネル２０Ｂを折り畳み状態とした場合に、第１芯材凹部２２１ｃと第２芯材凹部２２２ｃとに分割される。
【０１０８】
第２芯材２２は、第２芯材凹部２２２ｃを有する。第２芯材凹部２２２ｃは、サイドパネル２０Ｂを展開状態とした場合に、上述した第１芯材２１の第１芯材凹部２２１ｃと共に芯材開口部２２ｃを形成する矩形状の窪みである。第３実施形態で使用される固定具３０は、縦方向（Ｙ方向）の寸法が長いため、第１芯材凹部２２１ｃ及び第２芯材凹部２２２ｃの縦方向の寸法は、固定具３０の縦方向の寸法に合わせて設定される。第１芯材凹部２２１ｃ及び第２芯材凹部２２２ｃの横方向（Ｚ方向）の寸法は、例えば、第２実施形態の第１芯材凹部２２１ｃ及び第２芯材凹部２２２ｃと同一である。
【０１０９】
外側板紙２３は、サイドパネル２０Ｂの正面側（Ｘ１側）に設けられるシート材である。外側板紙２３は、板紙開口部２３ｃを有する。板紙開口部２３ｃをＸ方向から見たときの形状及び大きさは、芯材開口部２２ｃ（第１芯材凹部２２１ｃ＋第２芯材凹部２２２ｃ）と同一である。
板紙開口部２３ｃは、第１芯材２１及び第２芯材２２を高さ方向（Ｙ方向）に並べて配置し、その正面側（Ｘ１側）に外側板紙２３を貼り付けたときに、芯材開口部２２ｃ（第１芯材凹部２２１ｃ＋第２芯材凹部２２２ｃ）と一致する位置に設けられる。また、板紙開口部２３ｃの高さ方向（Ｙ方向）における中心位置は、サイドパネル屈曲部２３ｈの位置と一致している。そのため、第３実施形態のサイドパネル２０Ｂは、サイドパネル屈曲部２３ｈを中心として、第１サイドパネル２０１を外側（Ｘ１側）に回動させることにより、開口部２０ｃの位置で２つに折り畳むことができる。
【０１１０】
第１内側板紙２４は、第１芯材２１の背面側（Ｘ２側）に設けられるシート材である。第１内側板紙２４は、第１板紙凹部２４１ｃを有する。第１板紙凹部２４１ｃは、サイドパネル２０Ｂを展開状態とした場合に、第２内側板紙２５の第２板紙凹部２４２ｃ（後述）と共に板紙開口部２４ｃを形成する矩形状の切り欠きである。板紙開口部２４ｃをＸ方向から見たときの形状及び大きさは、板紙開口部２３ｃと同一である。
【０１１１】
第２内側板紙２５は、第２芯材２２の背面側（Ｘ２側）に設けられるシート材である。第２内側板紙２５は、第２板紙凹部２４２ｃを有する。第２板紙凹部２４２ｃは、サイドパネル２０Ｂを展開状態とした場合に、上述した第１内側板紙２４の第１板紙凹部２４１ｃと共に板紙開口部２４ｃを形成する矩形状の切り欠きである。
第３実施形態のサイドパネル２０Ｂは、高さ方向（Ｙ方向）に並べて配置した第１芯材２１及び第２芯材２２の外側（Ｘ１側）に外側板紙２３を貼り付け、内側（Ｘ２側）に第１内側板紙２４及び第２内側板紙２５を貼り付けることにより形成される。
【０１１２】
＜組み立て構造物３の設置方法＞
次に、第３実施形態における組み立て構造物３の設置方法について説明する。
図２２は、第３実施形態における組み立て構造物３の設置方法を示す概念図である。
まず、図２２（Ａ）に示すように、折り畳み状態のメインパネル１０及びサイドパネル２０Ｂを矢印方向に開いて展開状態とする。図２２（Ａ）では、サイドパネル２０Ｂを１つだけ示しているが、サイドパネル２０Ｂは２つ用いられる。
【０１１３】
次に、図２２（Ｂ）に示すように、メインパネル１０の左側（Ｘ１側）の側辺１０ｅと、一方のサイドパネル２０Ｂの開口部２０ｃとが接するように配置する。なお、図２２（Ｂ）では、メインパネル１０と一方のサイドパネル２０Ｂとを配置する際の位置関係を示しており、図中において両者は離れている。
【０１１４】
続いて、固定具３０を一方のサイドパネル２０Ｂの開口部２０ｃに挿入する。これにより、メインパネル１０の左側の側辺１０ｅと、一方のサイドパネル２０Ｂとが一体的に固定される。なお、一方のサイドパネル２０Ｂにおいて、開口部２０ｃに挿入される固定具３０は、メインパネル１０の屈曲部１３ｈ、第１パネル１０１及び第２パネル１０２の左側（Ｘ１側）をまとめて保持する。
【０１１５】
次に、図２２（Ｃ）に示すように、メインパネル１０の右側（Ｘ２側）の側辺１０ｅと、他方のサイドパネル２０Ｂの開口部２０ｃとが接するように配置する。なお、図２２（Ｃ）では、メインパネル１０と他方のサイドパネル２０Ｂとを配置する際の位置関係を示しており、図中において両者は離れている。
【０１１６】
続いて、固定具３０を他方のサイドパネル２０の開口部２０ｃに挿入する。これにより、メインパネル１０の右側の側辺１０ｅと他方のサイドパネル２０Ｂとが一体的に固定される。なお、他方のサイドパネル２０Ｂにおいて、開口部２０ｃに挿入される固定具３０は、メインパネル１０の屈曲部１３ｈ、第１パネル１０１及び第２パネル１０２の右側（Ｘ２側）をまとめて保持する。
以上の手順で組み立てを行うことにより、第３実施形態の組み立て構造物３を設置できる（図１９参照）。なお、メインパネル１０に対するサイドパネル２０Ｂの取り付けは、メインパネル１０の右側（Ｘ２側）から左側（Ｘ１側）の順に行ってもよい。
【０１１７】
上述した第３実施形態の組み立て構造物３は、第１実施形態と同様に、構造物としての安定性に優れると共に、組み立て及び折り畳みを簡単に行うことができる。
第３実施形態の固定具３０は、縦方向（Ｙ方向）の寸法が長いため、メインパネル１０の屈曲部１３ｈ、第１パネル１０１及び第２パネル１０２の右側及び左側をまとめて保持できる。そのため、第３実施形態の組み立て構造物３は、幅方向（Ｘ方向）の左右に固定具３０をそれぞれ１つ設ける簡易な構成でありながら、展開状態のメインパネル１０が折り畳み状態へ変形することを抑制できる。また、第３実施形態の組み立て構造物３は、メインパネル１０の幅方向の左右に固定具３０をそれぞれ１つ設ける構成であるため、組み立て及び折り畳みをより簡単且つ短時間に行うことができる。
【０１１８】
なお、第３実施形態において、メインパネル１０を複数備えた構成とすることもできるが、その場合には、第２実施形態のように、メインパネル１０の幅方向の左右に固定具３０を複数設ける構成とすることが望ましい。但し、メインパネル１０の幅方向（Ｘ方向）及び高さ方向（Ｙ方向）の寸法が共に短い場合、メインパネル１０が軽量である場合等においては、メインパネル１０が複数枚あっても、第３実施形態のように、メインパネル１０の幅方向の左右に固定具３０をそれぞれ１つ設ける構成としてもよい。
【０１１９】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【０１２０】
（変形形態）
本発明に係る組み立て構造物は、パーテーション、撮影ブース等に限らず、他の使用形態にも適用できる。図２３は、変形形態における組み立て構造物４の外観を示す斜視図である。図２３に示す組み立て構造物４は、観光地、イベント会場等に設置される顔出しパネルとして構成されている。本形態の組み立て構造物４において、メインパネル１０の正面側（Ｚ１）には、人物、アニメのキャラクター等を模した図柄（不図示）が印刷されており、その図柄に合わせて、利用者が顔を嵌める開口部１０ａが設けられている。第１又は第３実施形態のように、メインパネル１０が１枚の場合、開口部１０ａは、第１パネル１０１及び第２パネル１０２のどこに設けてもよい。一方、第２実施形態のように、メインパネル１０が複数のパネルで構成される場合、開口部１０ａは、接合部（凹部、凸部）と干渉しない位置に設けることができる。いずれの場合も、開口部１０ａは、屈曲部１３ｈを跨いでいてもよいし、隣接するメインパネル１０を跨いでいてもよい。
【０１２１】
第１〜第３実施形態において、メインパネル１０は、第１パネル１０１及び第２パネル１０２を積層構造とせずに、芯材のみで構成してもよい。その場合、屈曲部として、第１芯材１１と第２芯材１２の互いに対向する側辺の一方の端部を、テープ状の部材で連結すればよい。サイドパネル２０（２０Ａ，２０Ｂ）についても同様に、第１サイドパネル２０１及び第２サイドパネル２０２を積層構造とせずに、芯材のみで構成してもよい。
【０１２２】
第１〜第３実施形態において、サイドパネル２０（２０Ａ，２０Ｂ）のサイドパネル屈曲部２３ｈの高さ方向（Ｙ方向）の位置は、メインパネル１０の屈曲部１３ｈと等しい位置とする例を示したが、これに限らず、それぞれ異なる位置であってもよい。また、サイドパネル２０（２０Ａ，２０Ｂ）の高さ方向（Ｙ方向）の寸法が短い場合には、サイドパネル屈曲部２３ｈを設けない構成（折り畳みなし）としてもよい。
【０１２３】
第１及び第２実施形態において、固定具３０の大きさは、すべて同一でもよいし、上下で異なっていてもよい。例えば、第１実施形態において、サイドパネル２０の下側（Ｙ２側）に設ける固定具３０の縦方向の寸法を、上側（Ｙ１側）に設ける固定具３０よりも大きくしてもよい。この場合、組み立て構造物１をより安定させることができる。また、第２実施形態において、サイドパネル２０Ａの上側（Ｙ１側）から下側（Ｙ２側）に向けて、固定具３０の縦方向の寸法を、段階的に大きくしてもよい。
【０１２４】
第２実施形態において、凸部１１ｂ，１２ｂ（接合部）の先端は、三角形に限らず、例えば、半円形、台形等であってもよい。また、凹部１１ａ，１２ａ（接合部）の形状も矩形状に限らず、凸部１１ｂ，１２ｂを収納可能であれば、どのような形状であってもよい。また、上記凸部及び凹部は、メインパネル１０の幅方向（Ｘ方向）の両側に、それぞれ３つ以上設けてもよい。更に、第２実施形態では、メインパネル１０の１つの側辺１０ｅに凸部のみ又は凹部のみを設ける例について説明したが、凸部及び凹部を交互に設けてもよい。
【０１２５】
第２実施形態のメインパネル１０Ｂ及び１０Ｃにおいて、第１パネル１０１の凸部１１ｂが側辺１０ｅから突出する長さＬ２を、第２パネル１０２の凸部１２ｂが側辺１０ｅから突出する長さＬ３よりも短く設定してもよい。また、メインパネル１０Ｂ及び１０Ｃを含むメインパネル１０全体の高さ方向（Ｙ方向）の寸法が短い場合には、第１パネル１０１の凸部１１ｂが側辺１０ｅから突出する長さＬ２と、第２パネル１０２の凸部１２ｂが側辺１０ｅから突出する長さＬ３とを同一としてもよい。
【符号の説明】
【０１２６】
１，２，３，４  組み立て構造物
１０（１０Ａ，１０Ｂ，１０Ｃ）  メインパネル
１１ａ，１２ａ  凹部
１１ｂ，１２ｂ  凸部
１３ｈ  屈曲部
２０（２０Ａ，２０Ｂ）  サイドパネル
２０ａ，２０ｂ，２０ｃ  開口部
２３ｈ  サイドパネル屈曲部
３０  固定具
１０１  第１パネル
１０２  第２パネル
２０１  第１サイドパネル
２０２  第２サイドパネル
【図１】
2019178600.tif 000003
【図２】
2019178600.tif 000004
【図３】
2019178600.tif 000005
【図４】
2019178600.tif 000006
【図５】
2019178600.tif 000007
【図６】
2019178600.tif 000008
【図７】
2019178600.tif 000009
【図８】
2019178600.tif 000010
【図９】
2019178600.tif 000011
【図１０】
2019178600.tif 000012
【図１１】
2019178600.tif 000013
【図１２】
2019178600.tif 000014
【図１３】
2019178600.tif 000015
【図１４】
2019178600.tif 000016
【図１５】
2019178600.tif 000017
【図１６】
2019178600.tif 000018
【図１７】
2019178600.tif 000019
【図１８】
2019178600.tif 000020
【図１９】
2019178600.tif 000021
【図２０】
2019178600.tif 000022
【図２１】
2019178600.tif 000023
【図２２】
2019178600.tif 000024
【図２３】
2019178600.tif 000025